(57)【特許請求の範囲】
【請求項１】
合成樹脂被覆鋼板の幅方向略中央部に所定間隔をおいて折曲部と開口部とを長手方向に対して交互に設けていることを特徴とする防水シート固定用板。
【請求項２】
被覆鋼板の合成樹脂が塩化ビニル系樹脂であることを特徴とする請求項１に記載の防水シート固定用板。
【請求項３】
防水シートを平場から立上り壁にかけて敷設した後、合成樹脂被覆鋼板の幅方向略中央部に所定間隔をおいて折曲部と開口部とを長手方向に対して交互に設けた防水シート固定用板の折曲部を、前記平場と立上り壁とで形成される入隅部の角度に合わせて折り曲げて、該固定用板で防水シートを下地躯体に固定し、前記固定用板の表面に、立上り壁から平場に敷設する防水シートを接合することを特徴とする防水シートの施工方法。
【請求項４】
合成樹脂被覆鋼板の幅方向略中央部に所定間隔をおいて折曲部と開口部とを長手方向に対して交互に設けた防水シート固定用板の折曲部を、立上り壁の出隅部又は／及び入隅部の角度に合わせて折り曲げて下地躯体に機械的に固定した後、防水シートを立上り壁に敷設すると共に、前記固定用板の表面と該防水シートを接合することを特徴とする防水シートの施工方法。
【発明の詳細な説明】
【０００１】
【発明の属する技術分野】
本発明は、防水シートを下地に固定するための固定用板及び防水シートの施工方法に関し、更に詳しくは、建物屋上やベランダ等のパラペット等によって形成される入隅部や出隅部での防水シートを下地に固定するための合成樹脂被覆鋼板からなる固定用板及びこの板を用いて防水シートを施工する方法に関するものである。
【０００２】
【従来の技術】
建物の屋上やベランダ等に防水処理を行なうための方法の一つに、合成樹脂製や合成ゴム製の防水シートを敷設施工する方法が行なわれている。パラペット等がある場合にはその防水シートを立ち上げてパラペット部分も防水シートで被覆して防水処理を行なっている。このような出隅部や入隅部が存在する箇所に防水シートを敷設する場合は、コーナー部での防水シートの納まりを良くするために、合成樹脂被覆鋼板をコーナー部の下地に固定した後、その上に防水シートを接合させて敷設施工している。
【０００３】
【発明が解決しようとする課題】
パラペット等で形成される出隅・入隅部の角度は一般に約９０度に形成されていることが多いため、そこに固定する合成樹脂被覆鋼板も予め約９０度に折り曲げられた形状のものを使用していた。しかしながら建物によっては出隅・入隅部の角度が９０度以外に形成されている場合もあり、９０度に折り曲げられた合成樹脂被覆鋼板を使用することはできなかった。このため９０度に近い角度の場合は合成樹脂被覆鋼板を強引にその角度に合わせて、固定用ビスの本数を増やして固定したり、それ以外の角度、形状の場合には特別にその角度に合った合成樹脂被覆鋼板を成形する必要があった。このような合成樹脂被覆鋼板は、固定強度を確保するために１〜２ｍｍ程度の厚みを必要とするため、簡単にその折り曲げ角度を変えることはできず、その角度に応じた鋼板をその都度工場で作成する必要があった。
【０００４】
従って本発明は、任意の角度の出隅部・入隅部に対応できる合成樹脂被覆鋼板からなる防水シート固定板及びこの板を用いて防水シートを固定する施工方法を提供することを目的とするものである。
【０００５】
【課題を解決するための手段】
上記課題を解決するために本発明が講じた手段は、合成樹脂被覆鋼板の幅方向略中央部に所定間隔をおいて折曲部と開口部とを長手方向に対して交互に設けて防水シート固定用板とし、該被覆鋼板の合成樹脂を塩化ビニル系樹脂とすること及び防水シートを平場から立上り壁にかけて敷設した後、前記防水シート固定用板の折曲部を、前記平場と立上り壁で形成される入隅部の角度に合わせて折り曲げて、該固定用板で防水シートを下地躯体に固定し、その固定用板の表面に、立上り壁から平場に敷設する防水シートを接合するか或いは前記防水シート固定用板の折曲部を、立上り壁の出隅部又は／及び入隅部の角度に合わせて折り曲げて下地躯体に機械的に固定した後、防水シートを立上り壁に敷設すると共に、前記固定用板の表面と該防水シートを接合する防水シートの施工方法である。
【０００６】
【発明の実施の形態】
本発明の防水シート固定用板Ａは、金属板１の表面に合成樹脂２が被覆されている所謂、合成樹脂被覆鋼板ａの幅方向の略中央部分に所定間隔をおいて折曲部３と開口部４とが長手方向に対して交互に設けられ、開口部４の両側縁部には、下地躯体に固定し且つ防水シートを接合する接合部５が形成されているものである。
【０００７】
合成樹脂被覆鋼板ａの厚さは、下地Ｂと防水シートＣを接合するための固定強度を確保するために総厚で１ｍｍ以上あることが良く、また、簡単に折り曲げることができる様に総厚３ｍｍ以下の厚さとすることが好ましい。この場合の金属製板１の厚みとしては０．５〜２．５ｍｍ程度とするのが強度面において好ましい。合成樹脂被覆鋼板ａの幅は、狭すぎても下地躯体に固定させ且つ防水シートＣと接合させる接合部５の面積が少なくなり固定強度が弱くなり、大きすぎても立ち上がり部分の高さや幅よりもはみ出てしまうため、好ましくは５０〜３００ｍｍの範囲とするのが良い。また、合成樹脂被覆鋼板ａの長さは特に制限されず、約１〜３ｍの長尺状板を施工箇所の長さに応じて適宜繋ぎ合わせたり、切断して使用する。
【０００８】
合成樹脂被覆鋼板ａの略中央部には折曲部３と開口部４とを長手方向に対して交互に設けるもので、その開口部４は折曲部３を折り曲げやすくするために所定間隔をおいて設け、該鋼板ａの幅方向に対して２０〜２００ｍｍとして両側縁部には１５〜５０ｍｍの接合部５を設け、長手方向に対しては２０〜５０ｍｍの折曲部３を不連続状に開口部４を介してを設ける。長手方向の開口部４の総合の幅は、不連続部を形成する折曲部３の幅と略同じか、それよりも長く（広く）なるように設けることが折り曲げ易さの面から好ましい。また、この開口部４の間隔は必ずしも等間隔に規則的に設ける必要はなく、不規則な間隔でも、間隔の狭いと所と広い所があるように設けることもできる。
【０００９】
本発明の固定用板Ａは、図３及び図４に示す如く幅方向の両端縁部及び開口部４の切口縁部すなわち接合部５の両側を略１８０度折り返して折曲げて折返片６を形成することもできる。このように１８０度折り返えした折返片６を形成することにより、固定用板Ａの強度を向上させ、また、鋼板の端部縁部や切口縁部によって防水シートに傷が付くことがなくシートに亀裂が生じるのを防止することができる。この折返片６の幅は接合部５の幅に対して１／２〜１／４程度が好ましい。
【００１０】
また、固定用板Ａには下地ＢへビスＤで固定するための穴７を接合部５の幅方向略中央部に所定間隔をおいて複数箇所に設けておくことも可能である。固定用板Ａを下地Ｂへ固定する時は、この穴７にビスＤを打ち込み通してコンクリートなどの下地Ｂに機械的に固定するか、或いは予め穴を設けずに接合部５の表面からドリルなどで穴をあけると共に直接ビスＤを下地へ機械的に固定する。
【００１１】
金属板１に被覆する合成樹脂２は、防水シートＣと熱融着又は溶剤溶着が可能な合成樹脂を被覆することが良く、特に好ましくは防水シートＣを構成する合成樹脂と同種の合成樹脂を使用することが良い。
通常、防水シートＣを構成する合成樹脂は塩化ビニル系樹脂、クロロスルフォン化ポリエチレン樹脂、塩素化ポリエチレン樹脂、エチレン−酢酸ビニル共重合樹脂、アクリル系樹脂等の熱可塑性樹脂、或いはエチレン−プロピレンゴム等の合成ゴムから形成されているのが一般的である。
【００１２】
従って金属板１に被覆する合成樹脂２もこれらの合成樹脂を被覆することが好ましい。中でも塩化ビニル系樹脂は上記の合成樹脂に対し溶剤溶着性、熱融着性に優れおりとりわけ好ましい。ここでいう塩化ビニル系樹脂とは塩化ビニル樹脂の他に、塩化ビニル樹脂に可塑剤、安定剤、充填剤、難燃剤、紫外線吸収剤、酸化防止剤、粘度調整剤、ゲル化促進剤、消泡剤等の公知の配合剤を適宜配合したものや、他の合成樹脂や合成ゴムを混合したもの、酢酸ビニル−塩化ビニル共重合樹脂、エチレン−塩化ビニル共重合樹脂等の他のモノマーとの共重合体を含めて総称していう。
【００１３】
金属製板１に合成樹脂２を被覆する方法はどのような方法でも良く、例えば、金属製板の両面に合成樹脂製フィルムをプライマーや接着剤を介して積層したり、或いは塩化ビニル樹脂ペーストや他の液状樹脂をディッピングしたり、合成樹脂を溶剤や水に溶解又は分散させた塗料をコーティングして被覆することができる。被覆する合成樹脂の厚さは２０μｍ〜１ｍｍ程度の厚さとすることが好ましく、金属板の表裏両面或いは何れか一方の面に被覆する。
【００１４】
金属製板１は鉄板、亜鉛板、ステンレス板、アルミニウム板等金属であればどのようなものでも良く、必要に応じて防錆処理を施すなどして、耐蝕性を向上させることもできる。
【００１５】
上記の構成からなる防水シート固定用板Ａは、平場と立上り壁で形成される入隅部の角度に適宜合わせて折曲部３を折り曲げ両側の接合部５又は折返片６で防水シートＣを押さえその入隅部に固定して使用するか、或いは立上り壁の出隅部の角度に適宜合わせて折曲部３を折り曲げその出隅部に固定して使用する。この固定用板Ａは開口部４があることにより、取り付ける位置の角度に合わせて折曲部３を容易に折り曲げることができ、更に折り曲げやすくするために、折曲部３に折曲げ溝を長手方向に直線的に１か所或いは複数か所に設けることも可能である。また、１００ｍｍ以下といった比較的小さな段差のある箇所には、一枚の固定用板Ａを入隅・出隅と２方向に折曲げて使用することもできる。
【００１６】
固定用板Ａは、パラペットなど防水シートＣを立ち上げて敷設する箇所の入隅部や出隅部のコーナー部に設置して下地Ｂに固定するもので、固定用板Ａすなわち折曲部３及び接合部５の表面又は裏面、或いは両面に防水シートＣを接合してコーナー部での防水シートＣの納まりを良くする。防水シートＣと固定用板Ａとの接合は熱融着或いは溶剤溶着によって接合すると固定用板Ａと防水シートＣが一体的に接合されるのでとりわけ好ましい。熱融着による接合とは、熱風溶着機によって接合する固定用板Ａの表面と防水シートの表面又は裏面とを溶融又は軟化させて互いに接合する方法で、また、溶剤溶着とは合成樹脂を溶剤によって溶着させて接合する方法をいう。例えば、塩化ビニル樹脂を被覆した合成樹脂被覆鋼板ａからなる固定用板Ａはテトラヒドロフランを主体とした溶剤を使用することができ、このとき接合する防水シートＣは塩化ビニル系樹脂、塩素化ポリエチレン樹脂、クロロスルフォン化ポリエチレン樹脂等の広範囲の合成樹脂製の防水シートとすることができる。
【００１７】
【実施例】
次に、本発明の防水シート固定用板Ａの製法の一つを具体的に説明する。
厚さ０．８ｍｍ、幅１８０ｍｍ、長さ２ｍの亜鉛メッキされた鉄板の表裏に、紫外線吸収剤、光安定剤などが配合されて成形された厚さ０．３ｍｍの塩化ビニル樹脂製シートを、硬化型ウレタン系接着剤を介して接着した。
この塩化ビニル樹脂被覆鋼板の中央部に幅８０ｍｍ、長手方向４００ｍｍの開口部を４箇所と、長手方向の両端に幅８０ｍｍで端末迄の開口部を２箇所とを、それらの間に長手方向４０ｍｍ幅の折曲部を５箇所残して切り落とした。
次に、幅方向両側端部の１０ｍｍ幅を１８０度同一面に折り返して折返片を形成すると共に、更に開口部を幅方向に１０ｍｍずつ切り込みを入れて、両端部と同一面側に１８０度折り返して折返片を形成し、両側に幅３０ｍｍの接合部を設けた。この両側の接合部にビス穴を長手方向に１００ｍｍ間隔でそれぞれ設けて、本発明の防水シート固定用板を作成した。
【００１８】
次に、上記本発明の防水シート固定用板Ａを用いた防水シートＣの敷設施工例を図５を参照しながら具体的に説明する。
立ち上がりの角度が１２０度でパラペット内側天端部の角度が１２０度のパラペットｂ１のある屋上に防水シートＣを絶縁工法で行なった。施工は厚さ１．５ｍｍ、幅１５００ｍｍの塩化ビニル樹脂製防水シートＣを、屋上の平場ｂ２にポリエチレンフォームｃを介して、頭付きビスで機械的に下地Ｂに固定した。防水シートＣ同士は４０ｍｍの重ねしろをとって溶剤溶着によって接合した。
【００１９】
平場ｂ２の防水シートＣをパラペットｂ１の下部まで立ち上げ、前記の固定用板Ａを防水シートＣの上より、パラペットｂ１の入隅部の角度１２０度に合わせて折曲部３を長手方向に折り曲げて、接合部５で前記防水シートを押さえながらビスＤで下地Ｂに固定し、別途パラペットｂ１天端部より立上がり用防水シートＣ１を平場ｂ２の防水シートＣまで展延して、入隅部において固定した前記の固定用板Ａと溶剤溶着によって接合すると共に防水シートＣとも熱融着によって接合した。パラペットｂ１より展延された立上がり用防水シートＣ１の端末部はシーリング処理を施した。
【００２０】
パラペットｂ１の天端部内側の出隅部では前記の固定用板Ａを出隅部の角度１２０度に合わせて折曲部３を長手方向に折り曲げて、ビスＤで下地Ｂに固定し、その上を被覆する立上がり用防水シートＣ１と溶剤溶着で固定用板Ａと接合した。立上がり用防水シートＣ１はパラペットの外側天端部まで展延し、他の塩化ビニル樹脂被覆鋼板で押さえ付けて機械的に固定し、このシートＣ１の端末にシーリング処理を行い、表面に露出しているビス周囲にはシーリング剤を充填して止水処理を行なった。
【００２１】
【発明の効果】
本発明は合成樹脂被覆鋼板の幅方向略中央部に所定間隔をおいて折曲部と開口部とを長手方向に対して交互に設け、幅方向両側縁部に接合部を形成して防水シート固定用板としたので、入隅部や出隅部の角度がどのような角度であっても、その角度に合わせて該折曲部を折曲げて使用することが出来、従来のように予め断面が９０度に折曲げられている鋼板を強引にその角度に合わせて固定したり、その都度別途に合成樹脂鋼板を作成する必要もなくなった。また、その折曲げ作業も合成樹脂被覆鋼板全面を折曲げるのではなく、開口部があることにより折曲部の面積は少なくなり折曲げが極めて容易であり、しかも接合部での防水シートとの接合も容易に出来る。
【００２２】
更に、被覆される合成樹脂を塩化ビニル系樹脂とすることにより、塩化ビニル系樹脂、塩素化ポリエチレン樹脂、クロロスルフォン化ポリエチレン樹脂などの広範囲の防水シートと溶剤溶着・熱融着することができ、防水シートと合成樹脂被覆鋼板からなる固定用板とを一体的に接合することができ、コーナー部で防水シートが剥離して浮いてしまう危険性もなくなる。
【００２３】
次いで、本発明は防水シートを平場から立上り壁にかけて敷設した後、前記の防水シート固定用板の折曲部を、前記平場と立上り壁とで形成される入隅部の角度に合わせて折曲げて、該固定用板で防水シートを下地躯体に固定し、前記固定用板の表面に、立上り壁から平場に敷設する防水シートを接合する工法或いは防水シート固定用板の折曲部を、立上り壁の出隅部又は／及び入隅部の角度に合わせて折曲げて下地躯体に機械的に固定した後、防水シートを立上り壁に敷設すると共に、前記固定用板の表面と該防水シートを接合する工法により、パラペット等の入隅部や出隅部の角度が９０度以外のどのような角度の場所でも、その角度に合わせて防水シート固定用板を折り曲げることができ、その入隅部、出隅部に納まりが良く防水シートを敷設することが出来る。そのためコーナー部から防水シートが風圧により浮き上がってしまうこともなくなり、更には施工性が向上し、経済性にも優れた工法となる。
【図面の簡単な説明】
【図１】本発明防水シート固定用板の平面図
【図２】図１の２−２線に沿える断面図
【図３】他の実施例の防水シート固定用板の一部切欠した拡大斜視図
【図４】図３の４−４線に沿える断面図
【図５】固定用板を用いた防水シート施工状態の斜視図
【符号の説明】
Ａ：防水シート固定用板、ａ：合成樹脂被覆鋼板、１：金属板、２：合成樹脂、３：折曲部、４：開口部、５：接合部、６：折返片、Ｂ：下地、ｂ１：立ち上がり部、ｂ２：平場、Ｃ，Ｃ１：防水シート。
【図１】
0003616433.tif 000002
【図２】
0003616433.tif 000003
【図３】
0003616433.tif 000004
【図４】
0003616433.tif 000005
【図５】
0003616433.tif 000006